(57)【特許請求の範囲】
【請求項１】
風向センサーが測定した風向データを表示する風向計であって、
概ね円柱形をなし、その円柱形の底面部、円柱形の上面となる透明蓋部、および円柱形の周面となる側壁によって風向計匿体と、
その風向計匿体の内部において、長手方向の一端を底面部の中心軸に軸支される風向針本体と、底面部の内壁に配置された目盛板とを備え、
その風向針本体における軸支された中心軸とは反対側の端部には、矢印が中心軸方向を向くように表現された矢尻部と、目盛板に配置された風向目盛または風向を示す文字列を明示するための概ね中空円形状の風向指示部とを備え、
前記風向針本体の自由端は、風向データに基づいて風向を示すように中心軸を回転中心として回動するように形成したことを特徴とする風向計。
【請求項２】
風向センサーが測定した風向データを表示する風向計であって、
概ね円柱形をなし、その円柱形の底面部、円柱形の上面となる透明蓋部、および円柱形の周面となる側壁によって風向計匿体と、
その風向計匿体の内部において、不透明の目盛板であって、目盛板支持部によって透明蓋部に平行に支持され、側壁との間隙を有した目盛板と、
風向針本体であって、底面部の中心軸に軸支される風向針支持部、およびその風向針支持部の一端から連続して側壁の内側に沿って立ち上がり、側壁と目盛板との間隙を通過し、目盛板の表面に沿って折り返される風向指針からなる風向針本体と、  を備え、
風向指針は、その一部に概ね中空円形状の風向指示部を有するとともに、端部を矢尻形状とした矢尻部とし、
前記風向針本体は、風向データに基づいて前記矢尻部が風の吹いていく方向を示すように中心軸を回転中心として回動するように形成したことを特徴とする風向計。
【請求項３】
前記目盛板には方位を示す目盛および文字列を配置し、前記風向指示部が風向目盛または風向を示す文字列を明示するような構造としたことを特徴とする請求項１および請求項２に記載の風向計。
【発明の詳細な説明】
【技術分野】
【０００１】
本発明は、風向データおよび風速データを表示するための技術に関し、特に、風向および風の吹いていく方向の誤認識を防止するために好適な技術に関する。
【背景技術】
【０００２】
図２３（ａ）は、従来の風向計の外観形状を示したものである。この風向計は、風向計の指針が南西（ＳＷ）から北東（ＮＥ）に向かって矢視されている状態で、北東から南西に向かって風が吹いていることを示している。また、図２３（ｂ）に示すランプ型の風向計においては、長方形に形成されたランプ表示部分の一つが点灯することで風向を示すようになっている。なお、「風向」とは一般的に風上のことを示す。
【０００３】
また、特許文献１に該当するような技術もある。この技術は、風速、風量のセンシング部に筒型の導風管を取り付けることによって指向性を持たせ、導風管の回転角度と検知風速の大小関係から、風向を求められるようにした技術である。
【０００４】
【特許文献１】特開２０００−１６２２２９号公報
【発明の開示】
【発明が解決しようとする課題】
【０００５】
さて、図２３（ａ）に示した従来の風向計では、矢尻部が指す向きが風上となっている。 すなわち、「風向」とは風が吹いてくる方向を示すのである。
したがって、風向計に精通していない人が見た場合には、風上と風下を逆に認識してしまうおそれがある。矢印はいわゆるベクトル表示と同じであるため、風のベクトルと一致させて認識しがちだからである。
【０００６】
さて、火災発生などの緊急時においては正確な風向を把握することが、その後の対応についても重要な判断要素となる。しかし、風向計に精通していない人は、前述のような理由によって風の吹いていく方向を誤認する可能性がある。また、風向計に精通している人でも、緊急時の緊張によって、勘違いも生じる可能性は低くない。
緊急時に誤認や勘違いが生じてしまったら、深刻な問題に発展してしまうおそれがある。例えば、発電所敷地内で火災が発生したとする。この場合は、通常[火点]よりも風上に現地対策本部を設置するが、風上と風下を誤認してしまったら、現地対策本部を[火点]よりも風下に設置してしまう可能性さえある。
このような災害時の風向の誤認は、二次的被害を生じさせてしまう、被害の拡大を食い止められないというおそれがあった。したがって、風向計に精通している人のみならず、万人が風向を容易に把握することができる技術が望まれていた。
【０００７】
本発明が解決しようとする課題は、使用者が風向計に精通しているか否かに関わらず、風向および風の吹いていく方向を容易に把握することが可能な汎用性の高い技術を提供することである。また、風向と風速を関連させることで視認性および利便性を格段に向上させた技術をあわせて提供する。
請求項１から請求項３に記載の発明の目的は、風向および風の吹いていく方向を容易に把握することができ、視認性および利便性を格段に向上させた風向計を提供することにある。
【課題を解決するための手段】
【０００８】
（請求項１）
請求項１に記載の発明は、風向センサーが測定した風向データを表示する風向計(1A)に係る。
すなわち、概ね円柱形をなし、その円柱形の底面部(2A)、円柱形の上面となる透明蓋部(7A)、および円柱形の周面となる側壁(4A)によって風向計匿体(5A)と、その風向計匿体(5A)の内部において、長手方向の一端を底面部(2A)の中心軸(2a)に軸支される風向針本体(6A)と、 底面部の内壁に配置された目盛板(3A)とを備える。
その風向針本体(6A)における軸支された中心軸(2a)とは反対側の端部には、矢印が中心軸方向を向くように表現された矢尻部(6c)および概ね中空円形状の風向指示部(6d)を備える。前記風向針本体(6A)の自由端は、風向データに基づいて風向を示すように中心軸(2a)を回転中心として回動するように形成したことを特徴とする。
【０００９】
（作用）
本請求項に係る風向計は、風向指示部(6d)が風向目盛または風向を示す文字列上に存し風向を明示するものの、矢尻部(6c)が風の吹いていく方向を同時に示している。
したがって、従来の風向計を見慣れている人でも風向を誤認するおそれが極めて小さく、従来の風向計を見慣れていない人でも、風の吹いていく方向を直感的に捉えやすい。
【００１０】
（請求項２）
請求項２に記載の発明は、風向センサーが測定した風向データを表示する風向計(1)に係る。
すなわち、概ね円柱形をなし、その円柱形の底面部(2)、円柱形の上面となる透明蓋部(7)、および円柱形の周面となる側壁(4)によって風向計匿体(5)と、その風向計匿体(5)の内部において、不透明の目盛板(3)であって、目盛板支持部(8)によって透明蓋部(7)に平行に支持され、側壁(4)との間隙を有した目盛板(3)と、風向針本体(6)であって、底面部(2)の中心軸(2a)に軸支される風向針支持部(6a)、およびその風向針支持部(6a)の一端から連続して側壁(4)の内側に沿って立ち上がり、側壁(4)と目盛板(3)との間隙を通過し、目盛板(3)の表面に沿って折り返される風向指針(6b)からなる風向針本体(6)とを備える。
風向指針(6b)は、その一部に概ね中空円形状の風向指示部(6d)を有するとともに、端部を矢尻形状とした矢尻部(6c)とし、前記風向針本体(6)は、風向データに基づいて前記矢尻部(6c)が風の吹いていく方向を示すように中心軸(2a)を回転中心として回動するように形成したことを特徴とする。
【００１１】
（作用）
風向針本体(6)は、底面部(2)の中心軸(2a)を回転中心として回動し、表示すべき風向データに基づいて風の吹いていく方向を矢尻部(6c)が示す。風向指針(6b)の矢尻部(6c)の尖端と風の吹いていく方向とを一致させたことにより、従来の風向計を見慣れていない人や緊急時にでも直感的に風の吹いていく方向が把握できる。一方、従来の風向計を見慣れている人でも、風向指針(6b)が風向を示す位置に存し、風向指示部(6d)が風向目盛または風向を示す文字列を明示することから、風向の把握において混乱するおそれは極めて小さい。
【００１２】
（請求項３）
請求項３記載の発明は、請求項１および請求項２に記載の風向計を限定したものであり、
前記目盛板(3)には方位を示す目盛および文字列を配置し、前記風向指示部(6d)が風向目盛または風向を示す文字列を明示するような構造としたことを特徴とする。
【００１３】
（作用）
方位を示す目盛および文字列が目盛板(3)に配置され、風向として読み取るべき方位を風向指示部(6d)が明示することで、風向を一目で判別することができる。なお、請求項２に係わる風向計の目盛板(3)は不透明であるため、前記風向針支持部(6a)を視覚的に隠蔽し、風向指針(6b)の視認性を損なわないことを特徴としている。
【００１４】
以下のような発明を提供することもできる。
すなわち、風向風速センサーが測定したアナログ信号としての風向データおよび風速データを、アナログデジタル変換器でデジタル変換し、その変換されたデジタル信号としての風向データおよび風速データを受信する風向風速データ受信部を備えた風向風速計(10)に係る。
すなわち、前記風向風速データ受信部を内蔵し、その風向風速データ受信部が受信した風向データおよび風速データをデジタル表示させるためのデータ表示用パネル(12)を一部に搭載した風向風速計本体(11)を有する。
前記データ表示用パネル(12)は、風向を示すために配置された文字列と、データ表示用パネル(12)の略中心部に配置され、前記風速データがデジタル表示される風速データ表示部(13)と、その風速データ表示部(13)を中心とした円周状に配置され、前記風向データがデジタル表示される風向データ表示部(14)とを備える。前記風向データ表示部(14)は、風速データに応じて風向データ表示部(14)の大きさを変化させることが可能な風向風速計である。
【００１５】
（作用）
上記の発明は、以下のような作用を奏する。
すなわち、データ表示用パネル(12)の風速データ表示部(13)に、風向風速データ受信部が受信し、アナログデジタル変換器でデジタル変換された風速データを表示する。データ表示用パネル(12)の風向データ表示部(14)に、風向風速データ受信部が受信し、アナログデジタル変換器でデジタル変換された風向データを表示する。この風向データ表示部(14)は風速データの大小に応じて大きさが変化する。例えば、風速が２ｍの時と１０ｍの時とでは、風向データ表示部(14)の大きさが変わることになる。このような形態とすることで、風向、風速の概略値を一目するだけで把握することができる。
【００１６】
以下のような発明を提供することもできる。
すなわち、前記風向データ表示部は、風速データを段階的に区分し、その区分結果に応じて前記風向データ表示部を三段階に表示することを特徴とする。
【００１７】
（作用）
上記の発明は、以下のような作用を奏する。
すなわち、風向データ表示部を三段階に可変表示させることで、風向と風速を同時に視認することができる。
【００１８】
以下のような発明を提供することもできる。
すなわち、前記風向データ表示部は、第一表示部、第二表示部および第三表示部から形成されるとともに、各表示部の大きさは受信した風速データを段階的に区分し、第一表示部は第二表示部よりも面積が小さく、第二表示部は第三表示部よりも面積が小さいという関係であることを特徴とする。
【００１９】
（作用）
上記の発明は、以下のような作用を奏する。
例えば、受信した風速データが２ｍ／ｓであるときは、第一表示部がデジタル表示され、受信した風速データが８ｍ／ｓであるときは、第二表示部がデジタル表示され、受信した風速データが１０ｍ／ｓであるときは、第三表示部がデジタル表示されるようになる。風速データの大小に応じて風向データ表示部が可変するため、より風速と風向との現況を把握しやすくなる。
【００２０】
以下のような発明を提供することもできる。
すなわち、前記第一表示部をグリーン系カラー、第二表示部をイエロー系カラーおよび第三表示部をレッド系カラーによってデジタル表示したことを特徴とする。
【００２１】
（作用）
上記の発明は、以下のような作用を奏する。
すなわち、各表示部がカラー別に識別表示されているため、視認性が向上する。また、風速が小さい順から大きい順に向かってグリーン系カラー、イエロー系カラー、レッド系カラーとしていることで、警報的な役割を果たすことにも寄与する。
【発明の効果】
【００２２】
請求項１から請求項３に記載の発明によれば、風向および風の吹いていく方向を容易に把握することができ、視認性および利便性を格段に向上させた風向計を提供することができた。
【発明を実施するための最良の形態】
【００２３】
本発明の実施の形態について、図面を参照させながら説明する。ここで使用する図面は、図１から図２３である。図１は、風向計の外観を示した概略図であり（ａ）は平面図、（ｂ）は断面斜視図である。図２は、図１の風向計に方位識別部を配置した形態を示した図であり、（ａ）、（ｂ）にてバリエーションを示す。
図３は、他の風向計の外観を示した概略図であり（ａ）は平面図、（ｂ）は斜視図、（ｃ）は側面断面図である。図４は、風向風速計の外観を示した概略図であり、図５は、風向データ表示部の形態を示した図であり、図６は、風向風速計の外観を示した概略図である。
【００２４】
図７は、風向風速表示システムＡの全体構成を示した概略図であり、図８は、端末装置のハードウェア構成を示したブロック図であり、図９は、端末装置の表示部に表示された風向風速データを示した概略図であり、図１０は、風向風速表示システムＡにおける各処理およびデータの流れを示したフローチャートであり、図１１は、端末装置において風向風速データを算出し、表示部に表示するための内部プログラムを示したフローチャートであり、図１２は、風向風速およびオブジェクトの表示イメージを示した図である。
【００２５】
図１３は、風向風速表示システムＢの全体構成を示した概略図であり、図１４は、風向風速計算機のハードウェア構成を示したブロック図であり、図１５は、監視用ディスプレイに表示された各種データを示した概略図であり、図１６は、風向風速表示システムＣの全体構成を示した概略図であり、図１７は、風向風速表示システムＣにおける各処理およびデータの流れを示したフローチャートであり、図１８は、風向風速表示システムＤの全体構成を示した概略図であり、図１９は、風向風速表示システムＤにおける各処理およびデータの流れを示したフローチャートである。
【００２６】
図２０は、ジャイロ付き端末装置の外観形状を示した図であり、（ａ）は、端末装置の表示部に正対する者が北を向いている場合を示し、（ｂ）は、端末装置の表示部に正対する者が南を向いている場合を示す。図２１は、ジャイロ付き端末装置のハードウェア構成を示したブロック図であり、図２２は、ジャイロ付き端末装置の方位取得から地図データの出力までの処理を示したフローチャートである。
【００２７】
（風向計）
図１に示すように、風向計１は、概ね円柱形をなし、風向センサーが測定したアナログ信号としての風向データを受信する風向データ受信部（図示は省略）を備える。また、円柱形の底面部２と、円柱形の上面となる透明蓋部７と、円柱形の周面となる側壁４とによって風向計匿体５をなす。
その風向計匿体５の内部においては、不透明の目盛板３であって、目盛板支持部８によって透明蓋部７に平行に支持され、側壁４との間隙を有した目盛板３と、風向針本体６であって、底面部２の中心軸２ａに軸支される風向針支持部６ａと、その風向針支持部６ａの一端から連続して側壁４の内側に沿って立ち上がり、側壁４と目盛板３との間隙を通過し、目盛板３の表面に沿って折り返される風向指針６ｂとからなる風向針本体６とを備えている。
【００２８】
目盛板３は、透明蓋部７と同心円上に配置され、目盛板３の概ね中央部３ａにおいて目盛板支持部８と、透明蓋部７の概ね中央部７ａにおいて目盛板支持部８と固定することにより、透明蓋部７に支持されている。
また、風向針本体６は、底面部２の中心軸２ａを回転中心として固定され、中心軸２ａから底面部２と側壁４との接合部となる第一接点４ａ付近にて折り曲げられることにより側壁４の内側に沿って立ち上がり、目盛板３上面まで立ち上がった位置において目盛板３の中心に向かい目盛板３の表面に沿って折り返され、その端部は矢尻部形状をなし、それを矢尻部６ｃとする。この矢尻部６ｃが、風の吹いていく方向を示すように、風向針本体６は中心軸２ａを回転中心として回動するのである。
【００２９】
すなわち、風向針本体６は、底面部２の中心軸２ａに対し、風向データ受信部が受信した風向データを伝達して風向針本体６を回動させる回動機構（図示は省略）を備えている。その回動機構は、例えば、風向データ受信部が受信した風向データが「北東から南西に向かう風」であれば、その風向データに基づいて、風向針本体６の矢尻部６ｃの先端が南西に向かうように、中心軸２ａを中心として回動させる。従来の風向計を見慣れていない人において、目盛板３の周縁から中心方向に向かう矢尻部６ｃを見れば、「風が吹いていく方向を矢尻部６ｃの先端が示している」と直感的に捉えやすいからである。
【００３０】
目盛板３は、不透明な素材によって形成され、底面部２に配置される風向針支持部６ａを視覚的に隠蔽するように構成している。これにより複雑な風向針本体６のうち必要部位のみを表現し、視認性を損なわないものとしている。
また、風向指針６ｂが風向を示す位置に存し、風向指針６ｂの一部は風向指示部６ｄとして概ね中空円形状をなし、風向目盛または風向を示す文字列を明示するように工夫されている。すなわち、前述したように、風向指針６ｂは従来の風向計を見慣れていない人が風の吹いていく方向を直感的に捉えやすいよう矢尻部６ｃを備えているものの、風向指針６ｂの位置を風向目盛および風向を示す文字列部分に限定する構造とし、更に風向指示部６ｄを備えることにより、従来の風向計を見慣れている人も風向を誤認しないように工夫している。
【００３１】
（図２）
図２では、風向計１に方位識別部（目盛および文字列）を配置した形態を示している。これは、目盛板３の表面に、各方位を識別するために、正面視で時計回りにＮ（北）、ＮＥ（北東）、Ｅ（東）、ＳＥ（南東）、Ｓ（南）、ＳＷ（南西）、Ｗ（西）、ＮＷ（北西）および目盛を刻印（または印刷）している。このため、風向計１を見た場合に、風向針本体６の矢尻部６ｃが示す方向により風の吹いていく方向を、また、方位識別部および風向指示部６ｄにより風向を、それぞれ容易に把握できる。
なお、図２（ｂ）のように、側壁から風向計匿体内側に突き出すように第二目盛板を配置し、風向指示部６ｄを矢尻部６ｃと対角の位置に備えるようにしてもよい。
【００３２】
本実施形態の風向計によれば、風上から風下に向かって矢尻部６ｃの尖端が向くように配慮されているため、従来の風向計を見慣れていない人にとっても風の吹いていく方向を容易かつ直感的に把握することが可能になる。したがって、風の吹いていく方向の誤認を低減し、緊急時対応に無用の混乱を避けることに寄与する。
また、風向指針６ｂが風向を示す位置に存し、風向指針６ｂの一部は風向指示部６ｄとして概ね中空円形状をなし、風向目盛または風向を示す文字列を明示するように工夫されていることにより、従来の風向計を見慣れている人でも、風向を誤認するおそれが極めて小さい。
【００３３】
図３は、風向計１の他の実施形態を示している。
図３（ａ）から（ｃ）に示す風向計１Ａは、概ね円柱形をなし、風向センサーが測定したアナログ信号としての風向データを受信する風向データ受信部（図示は省略）を備え、円柱形の底面部２Ａと、円柱形の上面となる透明蓋部７Ａと、円柱形の周面となる側壁４Ａとによって風向計匿体５Ａと、その風向計匿体５Ａの中心軸２ａに軸支される風向針本体６Ａと、その風向計匿体５Ａの底面部２Ａの内壁に配置された目盛板３Ａを備えている。
【００３４】
風向針本体６Ａは、底面部２Ａの中心軸２ａから略半径に亘って覆うように配設され、中心軸２ａの反対側に風の吹いていく方向を矢視する矢尻部形状の矢尻部６ｃおよび目盛板３Ａに記された風向目盛または風向を示す文字列を示すための概ね中空円形状の風向指示部６ｄを有する。この矢尻部６ｃが風の吹いていく方向を示し、風向指示部６ｄが風向目盛または風向を示す文字列を明示するように、風向針本体６Ａは中心軸２ａを回転中心として回動する。
【００３５】
風向針本体６Ａは、底面部２Ａの中心軸２ａに対し、風向データ受信部が受信した風向データを伝達して風向針本体６Ａを回動させる回動機構（図示は省略）を備えているので、従来の風向計を見慣れていない人において、矢尻部６ｃを視認することで「風が吹いていく方向を矢尻部６ｃの先端が示している」と直感的に捉えやすくなる。また、風向指示部６ｄが、風向目盛または風向を示す文字列付近に存し、風向目盛または風向を示す文字列を明示することから、従来の風向計を見慣れている人にも違和感がない。
なお、風向針本体６Ａのうち矢尻部６ｃおよび風向指示部６ｄを除く部分は、アクリル樹脂などの透明素材によって形成されているため、あたかも矢尻部６ｃおよび風向指示部６ｄのみが移動するように見えることに特徴を有す。
【００３６】
（風向風速計）
図４に示す風向風速計１０は、図示しない風向風速センサーが測定したアナログ信号としての風向データおよび風速データを、図示しないアナログデジタル変換器でデジタル変換し、その変換されたデジタル信号としての風向データおよび風速データを受信してデジタル出力するものである。
風向風速計１０は、風向データおよび風速データを受信する風向風速データ受信部を風向風速計本体１１に内蔵し、風向風速計本体１１の前面には、風向風速データ受信部が受信した風向データおよび風速データをデジタル表示させるためのデータ表示用パネル１２を搭載している。
【００３７】
データ表示用パネル１２には、方位を示すために配置されたＮやＮＥなどの方位識別部（文字列）と、データ表示用パネル１２のほぼ中心付近に風速データをデジタル表示する風速データ表示部１３と、方位識別部の内側位置に配置した風向データ表示部１４とを備えている。
この風向データ表示部１４は、Ｎ（北）、ＮＥ（北東）、Ｅ（東）、ＳＥ（南東）、Ｓ（南）、ＳＷ（南西）、Ｗ（西）、ＮＷ（北西）を示す八方位と、その八方位間の各方位を示す合計十六方位の風向データ表示部が配置されている。
【００３８】
（図５）
風向データ表示部１４は、風速データに応じて表示する面積を段階的に変化させることができるようにしている。  すなわち、風向データ表示部１４は、風速データが安全な範囲である場合に表示される第一表示部１４ａ、風速データが注意すべき範囲である場合に表示される第二表示部１４ｂ、および風速データが警告すべき範囲である場合に表示される第三表示部１４ｃからなる。各表示部に異なった発光ダイオードを埋設することによって、区別されたデジタル表示を可能としている。
【００３９】
各表示部の大きさは、第一表示部１４ａを一番小さく、第二表示部１４ｂは第一表示部１４ａよりも大きく、第三表示部１４ｃを最も大きく形成している。また、位置関係は、データ表示用パネル１２の基板上に第三表示部１４ｃを載置し、その第三表示部１４ｃ上に第二表示部１４ｂを載置し、第二表示部１４ｂ上に第一表示部１４ａを載置している。発光ダイオードの発光カラーとしては、第一表示部１４ａがグリーン、第二表示部１４ｂがイエロー、第三表示部１４ｃがレッドとしている。交通信号に合わせることによって、大半の人において既にできあがったイメージ（赤は危険、黄色は注意）からずれないように配慮している。
【００４０】
（図６）
例えば、図６（ａ）は、受信した風向データがＮＥ（北東）、風速データが１０ｍ／ｓであり、レッドの第三表示部１４ｃが発光している場合を示している。やや時間が経過して風速が５ｍ／ｓに減少したとすると、図６（ｂ）に示すように、風速データ表示部１３には、[５ｍ／ｓ]と表示され、風向データ表示部１４は、レッドの第三表示部１４ｃが消灯し、イエローの第二表示部１４ｂが発光する。
以上のように、風向風速センサーからデジタル変換された風向データおよび風速データを受信した風向風速計１０は、風速の変化に応じて風向データ表示部１４の大きさ、カラーを変化させることができる。このため、利用者は視覚的に現況を容易に把握できる。
なお、風速データの段階表示の閾値（しきい値）は予め設定しておくが、用途や環境などの条件に応じて任意に変更可能である。
【００４１】
（風向風速表示システムＡ）
図７は、風向風速表示システムＡの全体構成を示した概略図である。
風向風速表示システムＡは、アナログ信号の風向データおよび風速データをデジタル信号へと変換し、その変換した風向データおよび風速データを端末装置２０における表示部に表示可能としたシステムである。すなわち、風向データおよび風速データをアナログ信号として測定可能な風向風速センサー３０と、その風向風速センサー３０が測定したアナログ信号としての風向データおよび風速データを、デジタル信号へと変換するアナログデジタル変換器（以下、Ａ/Ｄ変換器と表記する）４０とを備えている。
【００４２】
風向風速センサー３０は、風向および風速を統合して検知可能なものであり、風向および風速を測定可能なセンサーと、そのセンサー出力を例えば、０―３６０ｄｅｇ：４−２０ｍＡの電流に変換するアナログ変換器とを備えて構成されている。Ａ/Ｄ変換器４０は、アナログ変換器が出力したアナログ信号を、端末装置２０に取り込んで表示部に表示するために、デジタル信号へと変換する機能を有する。
【００４３】
（図８）
端末装置２０は、図８に示すように、装置全体を制御するとともに、各種演算処理を行うＣＰＵ２１、各種データを書き込む際に、それらのデータを一時的に展開するＲＡＭ（ランダムアクセスメモリ）２２、オペレーティングシステム、アプリケーションソフトおよび各種データが記憶される記憶部２３、マウスやキーボード等の入力部２４、ディスプレイ等の表示部（以下、モニタと表記する）２５、インターネットやイントラネットなどの電気通信回線に接続可能な通信部２６、各種データをプリンタ等に出力可能な出力部２７および各種データの入出力部である入出力ポート２８を備えて構成されている。
一般的な端末装置２０としては、ＵＳＢメモリなどの外部入力装置を接続可能な入力ポート２９を備えた、いわゆるパーソナルコンピュータ（ＰＣ）である。記憶部２３には所定区域における地図データが記憶されており、本実施形態においては、火力発電所内の各施設や地点ポイント等からなる地図データが記憶されている。
【００４４】
（図９）
図９に、Ａ/Ｄ変換器４０がデジタル変換した風向データおよび風速データを端末装置２０が取得し、それら各データをモニタ２５に表示させた形態を示す。なお、モニタ２５に表示される風向風速データは、風速データを数値で示す風速データ表示部および風向データを△マークで示す風向データ表示部とからなるが、説明の便宜上、図９はモニタ２５の一部を示すのみとする。
【００４５】
図９（ａ）には、Ａ/Ｄ変換器４０から出力された風速データ[２ｍ／ｓ]、風向データ[ＮＥ：北東]をモニタ２５にデジタル表示させた形態を示す。図９（ａ）の右側に注記されているように、風速データが２ｍ／ｓの場合には、△マークが小型、△マークのカラーはグリーンとなり、この場合には、監視者に風速が安全な範囲であることを伝えることができる。また、図９（ｂ）は、取得したデータが、風速データ[８ｍ／ｓ]、風向データ[ＮＥ：北東]である。この場合には、△マークは中型、△マークのカラーはイエローとなり、監視者に風速が注意すべき範囲であることを伝えることができる。
【００４６】
また、図９（ｃ）は、取得したデータが、風速データ[１０ｍ／ｓ]、風向データ[ＮＥ：北東]である。この場合には、△マークは大型、△マークのカラーはレッドとなり、監視者に風速が危険な範囲であることを伝えることができる。
【００４７】
受信した風速データの変化に応じて風向データの△マークの大きさやカラーが変化するため、端末装置２０のモニタ２５を監視するだけで現況を把握することが容易となる。なお、本実施形態では、風速データが[５ｍ／ｓ]、[１０ｍ／ｓ]の各風速ポイントに達すると、風向データ表示部の大きさやカラーが変化するように設定している。この風向データ表示部の可変に必要な風速データの設定値は、これらに限定されることはなく、用途に応じて任意に設定可能としている。
【００４８】
（図１０）
図１０は、風向風速表示システムＡにおける各処理およびデータの流れを概略的に示したフローチャートである。
Ａ/Ｄ変換器４０は、風向風速センサー３０から風向風速データを受信し（Ｓ１０１）、その受信した風向風速データをデジタル変換処理する（Ｓ１０２）。端末装置２０は、Ａ/Ｄ変換器４０からケーブルや通信手段を介してデジタル変換済みの風向風速データを取得する（Ｓ１０３）。
ここで、取得した風向データから１６方位のうちどの方位を表示するかを選択し(Ｓ１０４)、取得した風速データが予めユーザによって設定されている第一閾値以上か否かを判別する(Ｓ１０５)。風速データが第一閾値以上でなければ、風向データ表示部に表示される△マークを小型、色をグリーンに設定して(Ｓ１０６)、風向データ表示部に反映する(Ｓ１０７)。
【００４９】
また、風速データが第一閾値以上と判別された場合には、予めユーザによって設定されている第二閾値以上か否かを判別する(Ｓ１０８)。ここで第二閾値以上でなければ、△マークを中型、色をイエローに設定して(Ｓ１０９)、風向データ表示部に反映する(Ｓ１０７)。
風速データが第二閾値以上の場合には、△マークを大型、色をレッドに設定し(Ｓ１１０)、風向データ表示部に反映する(Ｓ１０７)。
また、風速データを風速データ表示部に数値化して表示する(Ｓ１１１)。
【００５０】
例えば、第一閾値を[５ｍ／ｓ]と設定した場合、風速データが５ｍ／ｓ未満であればグリーンの△マークが点灯する。また、第二閾値を、 [１０ｍ／ｓ]と設定した場合、風速データが５ｍ／ｓ以上１０ｍ／ｓ未満であればイエローの△マークが点灯し、１０ｍ／ｓ以上であれば、レッドの△マークが点灯することになる。これらは、リアルタイムに変化するため風速データの大小を把握しやすくなり、監視者にとっての利便性が向上する。
【００５１】
図１１および図１２を参照し、上記システムにおける風向風速データの算出についてさらに詳細に説明していく。図１１は、図７における端末装置上で稼働するプログラムとして設計されたアプリケーションプログラムの一例である。
【００５２】
風速の閾値Ｓ１、Ｓ２を目的に合わせ任意の数値を入力し、ＮＮを入力する（Ｓ２０１）。ＮＮとは、端末装置２０に表示された地図における北の位置を示す（図１２の１〜１６）。
各方位と方位表示枠番号の関係を演算する（Ｓ２０２）。これは、Ｎ＝ＮＮ、ＮＥ＝ＮＮ＋２、Ｅ＝ＮＮ＋４・・・ＮＷ＝ＮＮ＋１４のような関係になる。ただし、解＞１６の場合、解―１６とする。
次に、図１２に示す方位表示枠に方位を表示し（Ｓ２０３）、一旦、全オブジェクトを非表示（Ｓ２０４）とする。なお、オブジェクトとは、図９や図１２※２に示すように、風向・風速を示すマークのことである。
【００５３】
また、風向風速データを取得する（Ｓ２０５）。ここではＸ＝風向データ（deg）（北を0degとし、以下時計回りに360degまでのデータであり、360degは0deg同様北を示す）、Ｙ＝風速データ（m/s）とする。
風速データ（Ｙ）においては、Ｙ＝０であるか否かを判別する（Ｓ２０６）。ここで、Ｙ＝０であれば無風であるため、オブジェクトは非表示に設定する。
一方、Ｎｏであれば、Ｙ≧Ｓ１であるか否かを判別する（Ｓ２０７）。ＹがＳ１未満であれば、変数yに１００を代入する（Ｓ２０８）。
また、ＹがＳ１以上と判別された場合、Ｙ≧Ｓ２であるか否かを判別する（Ｓ２０９）。ＹがＳ２未満であれば、変数ｙに２００を代入する（Ｓ２１０）。
また、ＹがＳ２以上と判別された場合、変数ｙに３００を代入する（Ｓ２１１）。
【００５４】
次に、風向データ（Ｘ）を方位ｘ（北を０とし、以下時計回りに１６方位を０〜１６の整数に置き換えたものであり、１６は０同様北を示す）に換算する（Ｓ２１２）。この換算においての演算式は、ｘ＝ＩＮＴ{Ｘ／（３６０／１６）＋０．５}となる。なお、ＩＮＴはｘを整数とするために｛ ｝内の演算結果の小数点以下を切り捨てる関数であり、３６０とは、３６０度のことであり、１６は１６方位のことであり、＋０．５は、風向データ（Ｘ）が、方位ｘの示す１６方位の±１１．２５°以内となるように補正するための固定値である。
続いて、ｘ、ＮＮから表示すべきオブジェクトの存する方位Ｘ’を算出する（Ｓ２１３）。この演算式は、Ｘ’＝ｘ＋ＮＮとなる。ただし、Ｘ’＞１６の場合、Ｘ’＝Ｘ’―１６としてＸ’が常に１〜１６の整数となるように補正する。
【００５５】
そして、方位表示枠に表示するオブジェクト名Ｚを算出する（Ｓ２１４）。この演算式は、Ｚ＝ｙ＋Ｘ’となる。例えば、ｙ＝３００、Ｘ’＝９の場合はＺ＝３０９となり、図１２の方位表示枠番号９の位置にある大型かつレッドの△マークを表示対象として決定する。続いて算出したオブジェクトＺを表示するとともに（Ｓ２１５）、風速Ｙを表示する（Ｓ２１６）。
終了指示があれば、終了処理とする（Ｓ２１７）。
【００５６】
（風向風速表示システムＢ）
図１３は、風向風速表示システムＢの全体構成を示した概略図である。
風向風速表示システムＢは、風向データおよび風速データをアナログ信号として測定可能な風向風速センサー３０と、その風向風速センサー３０が測定したアナログ信号としての風向データおよび風速データを、デジタル信号へと変換するＡ/Ｄ変換器４０を内蔵した風向風速計算機５０と、その風向風速計算機５０に接続されるとともに、Ａ/Ｄ変換器４０がデジタル変換した風向データおよび風速データを表示する監視用ディスプレイ５９とを備えている。風向風速センサー３０およびＡ/Ｄ変換器４０は、前述した風向風速表示システムＡのものと同様の機能を備えている。また、風向風速計算機５０にはＡ/Ｄ変換器４０を内蔵しており、風向風速センサー３０から取得したアナログ信号をデジタル信号へ変換する機能を内部に有する。
【００５７】
（図１４）
図１４に示すように、風向風速計算機５０は、計算機全体の制御を行うとともに、各種演算処理を行うＣＰＵ５１、各種データを書き込む際に、それらのデータを一時的に展開するＲＡＭ（ランダムアクセスメモリ）５２、オペレーティングシステム、アプリケーションソフトおよび各種データが記憶される記憶部５３、マウスやキーボード等の入力部５４、表示部５５、インターネットやイントラネットなどの電気通信回線に接続可能な通信部５６、各種データをプリンタ等に出力可能な出力部５７および各種データの入出力部である入出力ポート５８を備えて構成されている。
【００５８】
（地図データ等）
記憶部５３には、火力発電所内の各施設や地点ポイント等からなる地図データ、各施設や地点ポイントにおいて測定された気温データや雨量データなどの各種データが記憶されている。この記憶部５３に記憶された各種データをもとに、図１５に示すような出力データが監視用ディスプレイ５９に表示される。監視用ディスプレイ５９の表示は、年月日データ、発電プラント名、地図データ、雨量強度データ、積算雨量データ、２４時間の気温変化を示したグラフオブジェクト、図９に示した風向風速データなどからなる。
【００５９】
なお、前述した風向風速表示システムＡとの相違点は、端末装置２０に替えて風向風速計算機５０を備え、この風向風速計算機５０にＡ/Ｄ変換器４０を内蔵し、また、風向風速データを端末装置２０のモニタ２５に出力するのではなく、表示専用の監視用ディスプレイ５９に出力するようにした点である。このような構成を採用したため、表示場所ごとに計算・記憶機能を有した端末装置２０を配置する必要がなく、システム全体がシンプルな構成となる。
【００６０】
また、風向風速計算機５０は、図１５に示すような各施設や地点ポイントでの気温や雨量等などの常時監視している設備データと風向風速データとを一画面上に出力することができる。すなわち、設備監視と風向風速監視とを一体化できるので、監視効率の向上が期待できる。例えば図１５では、風向風速のほか、雨量概況や気温トレンドなどまで一画面で表示できるので、状況に応じた素早い情報分析やそれに基づく迅速な対応決定に寄与できる。
【００６１】
（風向風速表示システムＣ：サーバ機能）
図１６は、風向風速表示システムＣの全体構成を示した概略図である。
風向風速表示システムＣは、風向データおよび風速データをアナログ信号として測定可能な風向風速センサー３０と、その風向風速センサー３０が測定したアナログ信号としての風向データおよび風速データを、デジタル信号へと変換するＡ/Ｄ変換器４０を内蔵した風向風速計算機６０と、その風向風速計算機６０にネットワーク接続された複数の端末装置２０とを備えて構成されている。
なお、本実施形態におけるネットワークは、社内ＬＡＮとしてイントラネットが構築されており、これを例として説明する。
【００６２】
端末装置２０は、前述した風向風速表示システムＡで示した端末装置と基本的な構成は同様である。すなわち、ＣＰＵ２１、ＲＡＭ２２、記憶部２３、入力部２４、モニタ２５、通信部２６、出力部２７、入出力ポート２８および入力ポート２９を備えたＰＣである。
本システムＣでは、端末装置２０を所望する各地点ポイントに設置できる点が、風向風速計表示システムＡと異なる。また、風向風速計算機６０は前述した風向風速計算機５０と基本構成は同様であるため説明は省略する。
【００６３】
また、風向風速計表示システムＢとの相違点としては、風向風速計算機６０に各種データをクライアントＰＣ（端末装置）に配信可能なサーバ機能を備えている点である。このサーバ機能は、構築されたイントラネットから端末装置２０に対してデータを送信する機能である。
【００６４】
風向風速計算機６０内のＡ/Ｄ変換器４０がデジタル変換した風向データおよび風速データを、イントラネットに接続された各端末装置２０に配信する。端末装置２０は、通信部２６がイントラネットに接続されているので、専用プログラムが風向データおよび風速データを受信することができ、この受信した風向データおよび風速データをモニタ２５で監視する。
【００６５】
（図１７）
図１７には、風向風速計算機６０と端末装置２０の処理を示したフローチャートを示す。
風向風速計算機６０は、風向風速センサー３０から風向風速データを受信し（Ｓ３０１）、その受信したアナログ信号の風向風速データを内蔵されたＡ/Ｄ変換器４０がデジタル信号に変換する（Ｓ３０２）。次に、デジタル信号に変換した風向風速データを、風向風速データ配信手段が予めイントラネットに接続された端末装置２０に配信する（Ｓ３０３）。各端末装置２０は、配信されたデジタ変換済みの風向風速データを受信し（Ｓ３０４）、その受信データをモニタ２５に表示させる（Ｓ３０５）。
【００６６】
本システムＣによれば、風向風速計算機６０に接続される風向風速データを表示するための監視用ディスプレイ５９が不要となる。また、イントラネット上に複数の端末装置が自由に設置可能になるとともに、風向風速センサー３０や風向風速計算機６０から物理的に離れた遠隔地にも設置可能となる。このため、遠隔から発電所等の地点ポイントなどの監視対象を同時に監視するという監視方法が実現できる。
さらに、予めイントラネット等のネットワークを構築すれば、端末装置の追加や削除などのシステム変更が自由なため、コスト低減を図ることができる。なお、イントラネット以外の通信ネットワークとしては、インターネットにて代用可能である。
【００６７】
（風向風速表示システムＤ：Ｗｅｂサーバ機能）
図１８は、風向風速表示システムＤの全体構成を示した概略図である。
風向風速表示システムＤは、インターネットおよびイントラネットなどの通信ネットワークに接続され、Ｗｅｂサーバ機能を有するＷｅｂサーバ付き風向風速計８０と、そのＷｅｂサーバ付き風向風速計８０に通信ネットワークを介して接続された端末装置２０および携帯端末２０ｂとを備えて構成されている。
【００６８】
Ｗｅｂサーバ付き風向風速計８０は、風向風速センサーと、その風向風速センサーによって測定された風向データおよび風速データをアナログ信号に変換する機能、変換されたアナログ信号をデジタル信号へと変換するＡ/Ｄ変換機能、デジタル変換された風向風速データを記憶して、Ｗｅｂ上に公開するための公開用ストレージ８３（ストレージデバイス）を少なくとも備えている。  この公開用ストレージ８３には、公開用データ（風向データおよび風速データ）と、アクセス制限を実現させるためのプログラムとが記憶されている。アクセス制限プログラムによって、アクセス可能な端末装置２０や携帯端末２０ｂを判別してデータ取得の許可を与えるものである。
【００６９】
端末装置２０は、風向風速表示システムＡで示したものと同様であり、ＣＰＵ２１、ＲＡＭ２２、記憶部２３、入力部２４、表示部２５、通信部２６、出力部２７、入出力ポート２８および入力ポート２９を備えたＰＣである。携帯端末２０ｂは、音声通話機能やデータ通信機能を有する携帯電話である。端末装置２０および携帯端末２０ｂには、Ｗｅｂページを閲覧可能なソフトウェアであるＷｅｂブラウザを備えている。
【００７０】
例えば、通信ネットワークがインターネット接続されている場合には、Ａ/Ｄ変換機能がデジタル変換した風向データおよび風速データが公開用データとして公開用ストレージ８３にアップロードされる。このアップロードされた公開用データに端末装置２０や携帯端末２０ｂのＷｅｂブラウザがＷｅｂサーバにアクセスすることで、風向風速データを端末装置２０内に取得して表示し、監視可能となる。
【００７１】
（図１９）
図１９において、Ｗｅｂサーバ付き風向風速計８０および端末装置２０（携帯端末２０ｂ）の各処理を示す。
Ｗｅｂサーバ付き風向風速計８０は、デジタル信号に変換した風向風速データをインターネット上に公開された公開用ストレージ８３に記憶する（Ｓ４０１）。
端末装置２０は、Ｗｅｂブラウザがインターネット接続してＷｅｂサーバ付き風向風速計８０にアクセスし、公開用ストレージ８３に記憶された公開データを取得するための風向風速データ取得信号を送信する（Ｓ４０２）。
【００７２】
Ｗｅｂサーバ付き風向風速計８０は、風向風速データ取得信号を受信し、アクセス可能なユーザであるか否かを判別する（Ｓ４０３）。ここで、アクセス可能なユーザであれば、端末装置２０のＷｅｂブラウザから送信されたＨＴＴＰリクエストに応答して風向風速データを送信する（Ｓ４０４）。
一方、アクセス不可のユーザであれば、応答拒否をする（Ｓ４０５）。端末装置２０は、Ｗｅｂブラウザを介して風向風速データを受信し（Ｓ４０６）、その風向風速データを端末装置２０のモニタ２５に表示させる（Ｓ４０７）。
【００７３】
本システムＤのように、風向風速計にＷｅｂサーバ機能を付加することで、風向風速計算機などの専用装置が不要となり、低コストで遠隔監視を実現するシステムが構築できる。また、各端末装置２０や携帯端末２０ｂに、表示用プログラムをインストールすれば、遠隔地から風向風速データを確認することができる。
なお、風向風速表示システムＤを用いて、所定のユーザなどが遠隔観察できるようなサービスを提供することもできる。例えば、風力発電に必要なウィンドファームに対して投資する投資家を募り、これらの投資家には特典として自らが投資したウィンドファームの様子（風向風速、発電状況など）を遠隔地から閲覧することができるというサービスである。
【００７４】
（ジャイロセンサー付き端末装置）
図２０（ａ）は、ジャイロ付き端末装置９０の表示部に正対する者が北を向いている場合を示し、図２０（ｂ）は、ジャイロ付き端末装置の表示部に正対する者が南を向いている場合を示している。
ジャイロ付き端末装置９０は、方位データを取得するジャイロセンサー１００を備え、取得した方位データを内部の地図データと比較演算する。そして、ジャイロ付き端末装置９０のモニタに表示された地図データのモニタ上方向における方位と、モニタに正対する者の向く方位が異なっていれば、これらを一致させるように地図データを回転する機能を備えている。
【００７５】
（図２１）
ハードウェア構成としては、前述した端末装置２０とほぼ同様となっており、ＣＰＵ９１、ＲＡＭ９２、記憶部９３、入力部９４、表示部９５、通信部９６、出力部９７、入出力ポート９８および入力ポート９９を備えたＰＣである。
また、入力ポート９９がＵＳＢポートとして形成されており、このＵＳＢポート９９にジャイロセンサー１００が接続されることで方位データをジャイロ付き端末装置９０内に記憶することになる。ジャイロセンサー１００は、記憶媒体としてのフラッシュメモリとして形成されており、ジャイロセンサーを汎用性が高いＵＳＢ接続とすることで、ジャイロ付き端末装置９０に対して容易に方位データ取得機能を追加することができる。
【００７６】
（図２２）
図２２には、ジャイロ付き端末装置９０の方位取得から地図データの出力までの処理をフローチャートにて示す。
ジャイロ付き端末装置９０のＵＳＢポート９９に接続されたジャイロセンサー１００が端末装置９０の設置方向に基づく方位データを取得する（Ｓ５０１）。
ジャイロ付き端末装置９０の記憶部９３に記憶された地図データを取得する（Ｓ５０２）。
地図データをモニタに出力した場合のモニタの上方向における地図データの方位が、端末装置９０のモニタに正対する者の向く方位に対して整合されているか否かを判別する（Ｓ５０３）。
ここで、前述の両方位が整合されていないと判別された場合、地図データの向きを適切な向きに変更する（Ｓ５０４）。
変更された地図データは、モニタ９５に出力表示される（Ｓ５０５）。
【００７７】
すなわち、ジャイロ付き端末装置９０にジャイロセンサー１００が接続されていることで、ジャイロ付き端末装置９０のモニタに表示された地図データにおける方位と、その地図データを視認する者の方位に関する感覚との整合性を図ることができる。このため、例えば、地図データを確認しながら作業を実施する必要性がある場合には、端末装置の向きを変えればモニタ上に表示される地図の向きも変更され、感覚と実態とを一致させてくれるので、作業効率に優れる。
【００７８】
また、ジャイロセンサーをジャイロ付き端末装置９０内に内蔵するようにしても良い。このようにすれば、前述したジャイロセンサー１００をＵＳＢポート９９に接続することなく方位データ取得機能を実現することができる。
【００７９】
このようなジャイロ付き端末装置９０に、図２０に示すような風向データを表示させる風向風速計を備えれば（例えば、風向風速センサーからの風向風速データをデジタル信号で受信する手段を備えれば）、その端末装置９０に向かいながら、物理的にも感覚的にも一致した風向を把握することができる。
【００８０】
すなわち、前述した風向風速表示システムＡにおける端末装置２０に対し、本実施形態のジャイロセンサー１００を組み合わせることもできる。このようにすれば、極めて視認性の高いシステムとなる。
また、この端末装置を仮にジャイロ付き端末装置２０Ａとすれば、このジャイロ付き端末装置２０Ａを雨量等のデータと組み合わせる形で拡張した風向風速表示システムＢに採用したり、イントラネットを利用することで各端末装置の再構築を容易にした風向風速表示システムＣに採用したりもできるし、さらにはインターネットを介した不特定多数の顧客向けのビジネスとして構成した風向風速表示システムＤに採用することも可能である。
【産業上の利用可能性】
【００８１】
本願発明は、風向風速の測定装置メーカ、風向風速を測定して監視したり他の機器などを保守整備するメンテナンス業界、風向風速の測定に基づいて危機管理を行うシステム管理業などにおいて、利用できる。
【図面の簡単な説明】
【００８２】
【図１】風向計の外観を示した概略図であり、（ａ）は平面図、（ｂ）は断面斜視図である。
【図２】風向計に方位識別部を配置した形態を示した図であり、（ａ）、（ｂ）にてバリエーションを示す。
【図３】他の風向計の外観を示した概略図であり、（ａ）は平面図、（ｂ）は斜視図、（ｃ）は側面断面図である。
【図４】風向風速計の外観を示した概略図である。
【図５】風向データ表示部の形態を示した図である。
【図６】風向風速計の外観を示した概略図である。
【図７】風向風速表示システムＡの全体構成を示した概略図である。
【図８】端末装置のハードウェア構成を示したブロック図である。
【図９】端末装置の表示部に表示された風向風速データを示した概略図である。
【図１０】風向風速表示システムＡにおける各処理およびデータの流れを示したフローチャートである。
【図１１】端末装置において風向風速データを算出し、表示部に表示するための内部プログラムを示したフローチャートである。
【図１２】風向風速およびオブジェクトの表示イメージを示した図である。
【図１３】風向風速表示システムＢの全体構成を示した概略図である。
【図１４】風向風速計算機のハードウェア構成を示したブロック図である。
【図１５】監視用ディスプレイに表示された各種データを示した概略図である。
【図１６】風向風速表示システムＣの全体構成を示した概略図である。
【図１７】風向風速表示システムＣにおける各処理およびデータの流れを示したフローチャートである。
【図１８】風向風速表示システムＤの全体構成を示した概略図である。
【図１９】風向風速表示システムＤにおける各処理およびデータの流れを示したフローチャートである。
【図２０】ジャイロ付きの端末装置の外観形状を示した図であり、（ａ）は、表示部に正対する者が北を向いている場合、すなわち表示部が南を向いている場合を示し、（ｂ）は、表示部に正対する者が南を向いている場合、すなわち表示部が北を向いている場合を示している。
【図２１】ジャイロ付き端末装置のハードウェア構成を示したブロック図である。
【図２２】ジャイロ付き端末装置の方位取得から地図データの出力までの処理を示したフローチャートである。
【図２３】従来の風向計を示した概略図である。
【符号の説明】
【００８３】
１、１Ａ 風向計
２、２Ａ 底面部             ２ａ 中心軸
３、３Ａ 目盛板             ４、４Ａ 側壁
４ａ 第一接点
５、５Ａ 風向計匿体
６、６Ａ 風向針本体         ６ａ 風向針支持部
６ｂ 風向指針
６ｃ 矢尻部                 ６ｄ 風向指示部
７、７Ａ 透明蓋部
８ 目盛板支持部
１０ 風向風速計             １１ 風向風速計本体
１２ データ表示用パネル     １３ 風速データ表示部
１４ 風向データ表示部       １４ａ 第一表示部
１４ｂ 第二表示部           １４ｃ 第三表示部
２０ 端末装置               ２０ｂ 携帯端末
２１ ＣＰＵ
２２ ＲＡＭ                 ２３ 記憶部
２４ 入力部                 ２５ 表示部（モニタ）
２６ 通信部                 ２７ 出力部
２８ 入出力ポート           ２９ 入力ポート
３０ 風向風速センサー
４０ アナログデジタル変換器
５０ 風向風速計算機         ５１ ＣＰＵ
５２ ＲＡＭ                 ５３ 記憶部
５４ 入力部                 ５５ 表示部
５６ 通信部                 ５７ 出力部
５８ 入出力ポート           ５９ 監視用ディスプレイ
６０ 風向風速計算機
８０ Ｗｅｂサーバ付き風向風速計
８３ 公開用ストレージ
９０ ジャイロ付き端末装置   ９１ ＣＰＵ
９２ ＲＡＭ                 ９３ 記憶部
９４ 入力部                 ９５ 表示部
９６ 通信部                 ９７ 出力部
９８ 入出力ポート           ９９ 入力ポート
１００ ジャイロセンサー
【図１】
0004573176.tif 000002
【図２】
0004573176.tif 000003
【図３】
0004573176.tif 000004
【図４】
0004573176.tif 000005
【図５】
0004573176.tif 000006
【図６】
0004573176.tif 000007
【図７】
0004573176.tif 000008
【図８】
0004573176.tif 000009
【図９】
0004573176.tif 000010
【図１０】
0004573176.tif 000011
【図１１】
0004573176.tif 000012
【図１２】
0004573176.tif 000013
【図１３】
0004573176.tif 000014
【図１４】
0004573176.tif 000015
【図１５】
0004573176.tif 000016
【図１６】
0004573176.tif 000017
【図１７】
0004573176.tif 000018
【図１８】
0004573176.tif 000019
【図１９】
0004573176.tif 000020
【図２０】
0004573176.tif 000021
【図２１】
0004573176.tif 000022
【図２２】
0004573176.tif 000023
【図２３】
0004573176.tif 000024